(57)【要約】【課題】本発明は、偏向周波数による温度変化に伴うランディングずれを効果的に補正することが可能な陰極線管表示装置を提供することを目的とする。【解決手段】この発明に係る陰極線管表示装置は、陰極線管の背面のコーナー部に配設された複数個のランディング補正コイルに所定の電流を供給することにより電子ビームのランディング補正を行なう陰極線管表示装置であって、上記陰極線管の入力信号に含まれる同期信号に基づいて水平偏向周波数を検出する手段と、上記水平周波数に基づいて上記ランディング補正コイルに供給する補正電流値を算出する算出手段とを備えたものである。【選択図】          図１
2004241905.tif 000002
【特許請求の範囲】
【請求項１】
陰極線管の背面のコーナー部に配設された複数個のランディング補正コイルに所定の電流を供給することにより電子ビームのランディング補正を行なう陰極線管表示装置であって、
上記陰極線管の入力信号に含まれる水平同期信号に基づいて水平偏向周波数を検出する手段と、
上記水平周波数に基づいて上記ランディング補正コイルに供給する補正電流値を算出する算出手段とを備えたことを特徴とする陰極線管表示装置。
【請求項２】
陰極線管の背面のコーナー部に配設された複数個のランディング補正コイルに所定の電流を供給することにより電子ビームのランディング補正を行なう陰極線管表示装置であって、
画像表示サイズを任意の大きさに調整するための入力部と、
上記入力部を介して調整された画像表示サイズに基づいて上記ランディング補正コイルに供給する補正電流値を算出する算出手段を備えたことを特徴とする陰極線管表示装置。
【請求項３】
陰極線管の通電時間を測定するタイマー回路をさらに備え、
上記タイマー回路により測定された通電時間に応じて補正電流値を調整することを特徴とする請求項１乃至２に記載の陰極線管表示装置。
【請求項４】
陰極線管の駆動停止から再起動するまでの時間を測定する手段と、駆動停止直前の補正電流値を記憶する手段とをさらに備え、
算出手段は、上記再起動するまでの時間および上記駆動停止直前の補正電流値から求められる初期補正電流値を用いて補正電流値を算出することを特徴とする請求項１乃至２記載の陰極線管表示装置。
【請求項５】
陰極線管の背面のコーナー部に配設された複数個のランディング補正コイルに所定の電流を供給することにより電子ビームのランディング補正を行なう陰極線管表示装置のランディング補正方法であって、上記電子ビームを水平方向に偏向する際の水平偏向周波数に基づいて上記ランディング補正コイルに供給する補正電流値を算出することを特徴とするランディング補正方法。
【発明の詳細な説明】
【０００１】
【発明の属する技術分野】
この発明は、ストライプ状蛍光面を有した陰極線管を搭載した、モニター用表示装置において、ランディングを補正することができるカラー陰極線管表示装置に関するものである。
【０００２】
【従来の技術】
カラー陰極線管においては、電子ビームを、色選別電極（アパーチャグリルまたは、シャドウマスク）を透過させて、所定の蛍光体に正しく当てる必要がある。ここで、電子ビームが所定の蛍光体に正しく当たっていない場合は、蛍光体の発光輝度が低下したり、隣接する蛍光体の一部が同時に発光されることにより色純度が低下する問題が生ずる。このため、電子ビームが所定の蛍光体に正しく当たるようにランディングを補正する必要がある。
【０００３】
近年、コンピューター対応のモニター用カラー陰極線管表示装置においては、コンピューターからの高密度（画素数が多い）画像を表示するため、フォーカス特性を良くしたり、画素ピッチを細かくしている。高密度画像はライン数（走査線数）が多いため、高密度画像の表示を行なう際は水平方向の偏向周波数（水平偏向周波数）が増加する。一般的に、偏向周波数が高くなると、陰極線管の電子ビームを偏向する偏向ヨークは発熱して温度が上昇する。この温度上昇が陰極線管の色選別電極に伝わると、電子ビームのランディングずれが生じる。
【０００４】
また、最近のカラー陰極線管表示装置では、ユーザーが好みにより表示画面サイズを自由に調整することできる。表示画面サイズを大きくすると偏向ヨークに印加される電流が増すことで、偏向ヨークの発熱量が増加し、ランディングずれが生ずる。このように、表示画面サイズを変化させることによってもランディングずれは生じる。
【０００５】
垂直方向の偏向周波数（垂直偏向周波数）は５０〜１００Ｈｚであるのに対し、水平偏向周波数は３１〜１２０ｋＨｚと高く、偏向ヨークの温度変化のほとんどは水平偏向周波数の影響による。偏向周波数の変化による偏向ヨークの温度変化は、環境温度が一定であればほぼ一定となり、これによって生じるランディング変化量も一定となる。
【０００６】
従来の陰極線管においては、陰極線管の背面に配したランディング補正用のコイルに補正電流を供給することによりランディング補正を行なっている。この補正電流は、特許文献１に記載のように電子ビームの照射量に基づいて設定される。また、特許文献２に記載のように、地磁気センサにより計測される外部磁界の大きさに応じて設定される。
【０００７】
【特許文献１】
特開平１０−２４３４１１号公報
【特許文献２】
特開平１０−１６４６１２号公報
【０００８】
【発明が解決しようとする課題】
上記の従来のカラー陰極線管表示装置においては、表示画像の解像度や、表示画面サイズの変更により偏向周波数が変化した場合に発生するランディングずれを補正出来ないという問題点があった。
【０００９】
本発明は上記の課題を解消するためになされたもので、偏向周波数による温度変化に伴うランディングずれを効果的に補正することが可能な陰極線管表示装置を提供することを目的とする。
【００１０】
【課題を解決するための手段】
この発明に係る陰極線管表示装置は、陰極線管の背面のコーナー部に配設された複数個のランディング補正コイルに所定の電流を供給することにより電子ビームのランディング補正を行なう陰極線管表示装置であって、
上記陰極線管の入力信号に含まれる同期信号に基づいて水平偏向周波数を検出する手段と、
上記水平周波数に基づいて上記ランディング補正コイルに供給する補正電流値を算出する算出手段とを備えたものである。
【００１１】
また、この発明に係る陰極線管表示装置は、陰極線管の背面のコーナー部に配設された複数個のランディング補正コイルに所定の電流を供給することにより電子ビームのランディング補正を行なうカラー陰極線管表示装置であって、
画像表示サイズを任意の大きさに調整するための入力部と、
上記入力部を介して調整された画像表示サイズに基づいて上記ランディング補正コイルに供給する補正電流値を算出する算出手段を備えたものである。
【００１２】
また、この発明に係る陰極線管表示装置のランディング補正方法は、陰極線管の背面のコーナー部に配設された複数個のランディング補正コイルに所定の電流を供給することにより電子ビームのランディング補正を行なう陰極線管表示装置のランディング補正方法であって、上記電子ビームを水平方向に偏向する際の水平偏向周波数に基づいて上記ランディング補正コイルに供給する補正電流値を算出するものである。
【００１３】
【発明の実施の形態】
以下、この発明をその実施の形態を示す図面に基づいて具体的に説明する。
実施の形態１．
図５，６は本発明に係る陰極線管の構成を示す図である。偏向ヨーク２は、カラー陰極線管１の背面に配置され、コンピューター（図示しない）から映像信号とともに出力される同期信号に基づいて電子銃からの電子ビームを上下左右に偏向する。映像信号は陰極線管の最後端にあるベースピン３へ入力される。ランディング補正コイル４はカラー陰極線管１の背面のコーナー部四ヶ所に配置され、補正電流が入力されることにより磁界が発生し、この磁界により電子ビームの軌道が修正され、ランディングの補正が行われる。
【００１４】
図１は、補正コイル４に供給される補正電流を出力する出力回路を備えたカラー陰極線管のランディング補正機構の構成を示す図である。コンピューター６から出力されたＲ，Ｇ，Ｂの映像信号は、ビデオ回路１１を通してカラー陰極線管に出力される。一方、映像信号とともにコンピューター６から出力される同期信号は、ＣＰＵ１７に入力される。ＣＰＵ１７は、同期信号から水平同期信号と垂直同期信号とを検出し、検出された同期信号の情報をデジタル情報として偏向回路１２に出力する。偏向回路２は、ＣＰＵ１７から入力されるデジタル情報水平同期信号と垂直同期信号とに基づいて偏向電流を発生させ、この偏向電流を偏向ヨークに出力する。これにより、コンピューター６から出力された映像信号の解像度に応じて電子ビームが偏向される。
【００１５】
ＣＰＵ１７はまた、検出された水平同期信号に基づいて水平偏向周波数を求め、デジタル情報として補正電流値算出用のマイコン１８に出力する。マイコン１８は、水平偏向周波数に基づいてランディング補正に必要な補正電流値Ｘを算出する。ここで、補正電流Ｘは以下の式（１）により求められる。
Ｘ＝Ａ＊（ｆｔｆ０）…（１）
Ａ：陰極線管の機種毎に設定される係数
ｆｔ：変更後の水平偏向周波数
ｆ０：基準水平偏向周波数（セットメーカーで陰極線管の機種毎に一定にする）
上記の演算により、水平偏向周波数の変更に伴う偏向ヨークの温度変化により発生するランディングずれを補正するための補正電流値Ｘが算出される。実際の補正では、上記演算により算出された値に、工場調整値（陰極線管固体毎に異なる）と、地磁気と環境温度変化によるランディング変化の補正値を加えた電流を供給される。
【００１６】
合成された補正値は、Ｄ／Ａ変換回路９においてデジタル値からアナログ値に変換される。出力回路１０はＤ／Ａ変換回路９により得られたアナログ値に対応する補正電流をランディング補正コイル４に加える（図では１箇所のみ示す）。以上の動作によりランディングの補正が行われる
本実施の形態１に係るカラー陰極線管表示装置よれば、解像度の変更等により水平偏向周波数が変化した場合の温度変化により発生するランディングずれを補正することが可能となる
【００１７】
実施の形態２．
図２はこの発明の実施の形態２に係るカラー陰極線管表示装置のランディング補正機構の構成を示す図である。ユーザー調整入力部１３は、ユーザーが表示画面サイズを任意の大きさに調整するための入力手段である。ユーザー調整入力部１３を介して入力される表示画面サイズの変化量は、表示画面サイズ情報としてＣＰＵ２７に送られる。ＣＰＵ２７は、ユーザーにより調整された表示画面サイズに対応する水平同期信号を生成し、偏向回路１２に出力する。偏向回路１２は、ＣＰＵ２７により出力される同期信号に基づいて偏向電流を発生し、偏向ヨーク２に出力する。
【００１８】
ＣＰＵ２７はまた、表示画面サイズ情報をランディング補正用のマイコン２８に送る。マイコン２８は、表示画面サイズ情報に基づいて以下の式（２）により補正電流値Ｙを算出する。
Ｙ＝Ｂ＊（Ｘｔ−Ｘ０）…（２）
Ｂ：陰極線管の機種毎に設定される係数
Ｘｔ：表示画面サイズ変更後の表示画面水平方向サイズ
Ｘ０：基準表示画面水平方向サイズ（セットメーカーで陰極線管機種毎に設定する）
上記の演算により、表示画面サイズの変更に伴う偏向ヨークの温度変化により発生するランディングずれを補正するための補正電流値Ｙが算出される。他の構成、および動作については実施の形態１と同様であるので説明を省略する。
【００１９】
実施の形態３．
図３はこの発明の実施の形態３によるカラー陰極線管表示装置のランディング補正機構を示すものである。
主電源１５はＣＰＵ３７により制御される。主電源１５をオンにし、偏向ヨーク部で発熱が生じてパネル（図示しない）に熱が伝わりランディングずれが生じるまでにはある一定の時間がかかるので、これに応じたランディング補正を行う必要がある。そこで、本実施の形態においては図３に示す様に、マイコン３８内にタイマー回路１４を設け、電源がオンになってからの経過時間を測定し、その測定値に応じた補正電流を補正コイル４に供給する。マイコン３８は、タイマー回路１４により測定される、電源がオンになってからの経過時間を用いて、以下の式（３）により補正電流値Ｚ（ｔ）を算出する。
Ｚ（ｔ）＝（Ｘ＋Ｙ）＊（１−ｅｘｐ（−ｔ／Ｃ））…（３）
ｔ：電源オンからの経過時間
Ｃ：定数（陰極線管の機種毎に設定される係数）
Ｘ：水平偏向周波数を変更した時のランディング補正に必要な電流値
Ｙ：表示画面サイズを変更した時のランディング補正に必要な電流値
【００２０】
上記演算において、（１−ｅｘｐ（−ｔ／Ｃ））の値はタイマー回路１４により算出される。マイコン３８は、水平偏向周波数を変更した時のランディング補正に必要な電流値Ｘと、表示画面サイズを変更した時のランディング補正に必要な電流値とを加算した後に、タイマー回路１４において算出された値（１−ｅｘｐ（−ｔ／Ｃ））を乗算することにより、補正電流値を求める。ここで、電流値ＸおよびＹの値は、実施の形態１および２に示す式により求めることができる。
【００２１】
上記の演算により、陰極線管の使用時間に応じて変化するランディングずれを補正することが可能となる。他の構成、および動作については実施の形態１および２と同様であるので説明を省略する。
【００２２】
実施の形態４．
図４はこの発明の実施の形態４に係るカラー陰極線管表示装置のランディング補正機構の構成を示す図である。カラー陰極線管表示装置の主電源１５をオフにした場合、放熱により色選別電極は発熱時と反対の方向に変形する。ここで、色選別電極が十分に放熱された場合は問題ないが、放熱途中で再度主電源１５がオンされた場合は、放熱過程における色選別電極の変形を考慮したランディング補正を行なう必要がある。そこで本実施の形態においては、主電源１５をオフする直前の補正電流値Ｚ（ｔ１）をメモリ１６に記憶するとともに、タイマー回路１４により、主電源１５をオフしてから電源を再投入するまでの時間Ｔｂを測定し、メモリ１６に記憶された補正電流値Ｚ（ｔ１）と時間Ｔｂに基づいて電源再投入時の初期補正電流値Ｚ（０）を以下の式（４）により算出する。
Ｚ（０）＝Ｚ（ｔ１）＊（ｅｘｐ（−Ｔｂ／Ｄ））…（４）
Ｚ（ｔ１）：電源オフ直前の補正電流値
Ｄ：定数（陰極線管の機種毎に設定される係数）
【００２３】
上記の演算により算出された電源再投入時の初期補正電流値Ｚ（０）を用いて、マイコン４８は以下の式（５）により補正電流値Ｚ（ｔ２）を算出する。
Ｚ（ｔ２）＝Ｚ（０）＋（Ｘ＋Ｙ−Ｚ（０））＊（１−ｅｘｐ（−ｔ／Ｄ））…（５）
ｔ：電源再投入からの経過時間
Ｄ：定数（陰極線管の機種毎に設定される係数）
Ｘ：水平偏向周波数を変更した時のランディング補正に必要な電流値
Ｙ：表示画面サイズを変更した時のランディング補正に必要な電流値
ここで、電源再投入からの経過時間ｔは、タイマー回路１４により測定される。
【００２４】
上記の演算により、陰極線管を再起動させた場合の放熱過程における色選別電極の変形を考慮した補正電流値が算出される。他の構成、および動作については実施の形態１および２と同様であるので説明を省略する。
【００２５】
【発明の効果】
本発明に係る陰極線管表示装置、およびランディング補正方法は、水平偏向周波数を検出し、上記水平周波数に基づいて上記ランディング補正コイルに供給する補正電流値を算出するので、解像度の変更等に伴う水平偏向周波数の変化によるランディングずれを補正し、高画質の画像を表示することが可能である。
【図面の簡単な説明】
【図１】この発明の実施の形態１に係るランディング補正機構の構成を示す図である。
【図２】この発明の実施の形態２に係るランディング補正機構の構成を示す図である。
【図３】この発明の実施の形態３に係るランディング補正機構の構成を示す図である。
【図４】この発明の実施の形態４に係るランディング補正機構の構成を示す図である。
【図５】陰極線管の側面図である。
【図６】陰極線管の背面図である
【符号の説明】
１陰極線管、  ２偏向ヨーク、  ３ベースピン、４  ランディング補正コイル、５  カラー陰極線管表示装置、６  コンピューター、７  ＣＰＵ、８  マイコン、９  Ｄ／Ａ変換、１０  出力回路、１１  ビデオ回路、１２  偏向回路、１３  ユーザー調整入力部、１４  タイマー回路、１５  主電源、１６メモリ、２７  ＣＰＵ、２８  マイコン、３７  ＣＰＵ、３８  マイコン、４８  マイコン
【図１】
2004241905.tif 000003
【図２】
2004241905.tif 000004
【図３】
2004241905.tif 000005
【図４】
2004241905.tif 000006
【図５】
2004241905.tif 000007
【図６】
2004241905.tif 000008